(57)【要約】【課題】汎用性および施工性に優れかつ安価な出隅における庇構造を提供する。【解決手段】建物の出隅をなす２つの外壁面のうちの一方の前記外壁面から張り出して設けられる第１庇体と、前記２つの外壁面のうちの他方の前記外壁面から張り出して設けられる第２庇体と、を有し、前記第１庇体は、前記一方の外壁面に沿う方向に、前記他方の外壁面よりも突出する出隅突出部を有し、前記第２庇体の前記他方の外壁面に沿う方向における一方の端部は、前記出隅突出部の前記一方の外壁面に沿う部位と接合されている。【選択図】図１
2015143433.tif 000002
【特許請求の範囲】
【請求項１】
建物の出隅をなす２つの外壁面のうちの一方の前記外壁面から張り出して設けられる第１庇体と、
前記２つの外壁面のうちの他方の前記外壁面から張り出して設けられる第２庇体と、
を有し、
前記第１庇体は、前記一方の外壁面に沿う方向に、前記他方の外壁面よりも突出する出隅突出部を有し、
前記第２庇体の前記他方の外壁面に沿う方向における一方の端部は、前記出隅突出部の前記一方の外壁面に沿う部位と接合されていることを特徴とする出隅における庇構造。
【請求項２】
請求項１に記載の出隅における庇構造であって、
前記出隅突出部と前記第２庇体とは、接合部材を介して接合されており、
前記接合部材は、前記第１庇体と前記第２庇体とのうちの一方に固定され、
後から取り付けられる前記第１庇体または前記第２庇体を所定の取付位置に案内することを特徴とする出隅における庇構造。
【請求項３】
請求項１または請求項２に記載の出隅における庇構造であって、
前記第１庇体および前記第２庇体は、各々が張り出している前記外壁面に沿って配置されて前記建物の躯体に取り付けられる後枠と、前記後枠と対向し互いに間隔を隔てて配置される前枠と、前記後枠と前記前枠とを両端にて各々繋ぐ側枠とが矩形状に接合されており、
前記第１庇体の一方の前記側枠と前記第２庇体の前記前枠とは互いに隣り合うように配置されるとともに、前記第１庇体の一方の前記側枠と前記第２庇体の前記前枠とに渡ってそれらの外面を覆う化粧材が設けられることを特徴とする出隅における庇構造。
【請求項４】
請求項１至請求項３のいずれかに記載の出隅における庇構造であって、
前記第２庇体の張り出し量と、前記出隅突出部の突出量とが等しいことを特徴とする出隅における庇構造。
【請求項５】
請求項１乃至請求項４のいずれかに記載の出隅における庇構造であって、
前記第１庇体および前記第２庇体は、互いに独立した樋を備えていることを特徴とする出隅における庇構造。
【発明の詳細な説明】
【技術分野】
【０００１】
本発明は、建物の出隅における庇構造に関する。
【背景技術】
【０００２】
建物の出隅における庇構造としては、たとえば、建物のコーナー部を構成する２つの壁面のうちの一方の壁面から張り出すとともに他方の壁面より突出された一方の庇本体と、他方の壁面から張り出すとともに一方の壁面より突出された他方の庇本体との、各々突出させた一端部をトメ切りにし、２つの庇本体を、コーナーブロックを介してトメ接合により連結したコーナー庇が知られている（例えば、特許文献１参照）。このコーナー庇を構成する２つの庇本体は、建物の壁面からの張り出し量が同一であるため、各々の庇本体の一端部はそれぞれ４５度にトメ切りされている。
【先行技術文献】
【特許文献】
【０００３】
【特許文献１】特許第４７９１４２６号公報
【発明の概要】
【発明が解決しようとする課題】
【０００４】
上記コーナー庇の２つの庇本体は、建物の壁面からの張り出し量が同一なので、各々４５度にトメ切りしているが、２つの庇本体の建物の壁面からの張り出し量が相違している場合には、２つの庇本体の張り出し量に合わせた角度にてトメ切りしなければならない。また、２つの庇体を接合する際には、２つの庇本体の張り出し量に応じた角度にトメ接合するための専用のコーナーブロックを用意する必要がある。すなわち、施工時には各庇本体を任意の角度にトメ切りするという煩雑な加工を施すとともに、接合する角度に応じて個々に異なるコーナーブロックを製作しなければならないので、施工が煩雑であるとともにコストが嵩むという課題がある。
本発明は、かかる課題に鑑みてなされたものであり、その目的とするところは、施工性に優れかつ安価な出隅における庇構造を提供することにある。
【課題を解決するための手段】
【０００５】
かかる目的を達成するために本発明は、建物の出隅をなす２つの外壁面のうちの一方の前記外壁面から張り出して設けられる第１庇体と、前記２つの外壁面のうちの他方の前記外壁面から張り出して設けられる第２庇体と、を有し、前記第１庇体は、前記一方の外壁面に沿う方向に、前記他方の外壁面よりも突出する出隅突出部を有し、前記第２庇体の前記他方の外壁面に沿う方向における一方の端部は、前記出隅突出部の前記一方の外壁面に沿う部位に接合されていることを特徴とする出隅における庇構造である。
【０００６】
このような出隅における庇構造によれば、出隅をなす２つの外壁面のうちの一方の外壁面から張り出す第１庇体が、一方の外壁面に沿う方向において他方の外壁面よりも突出した出隅突出部を有しているので、出隅をなす２つの外壁面のうちの他方の外壁面から張り出す第２庇体と第１庇体の出隅突出部とを接合するだけで建物の出隅に庇を設けることが可能である。このとき、第２庇体の他方の外壁面に沿う方向における一方の端部が、出隅突出部の、一方の外壁面に沿う部位に接合される。すなわち、出隅突出部の一方の外壁面に沿って突出している部位に第２庇体の端部を接合するだけなので、煩雑な加工を施すことなく出隅に庇を設けることができる。このため、汎用性および施工性に優れかつ安価な出隅における庇構造を提供することが可能である。
【０００７】
かかる出隅における庇構造であって、前記出隅突出部と前記第２庇体とは、接合部材を介して接合されており、前記接合部材は、前記第１庇体と前記第２庇体とのうちの一方に固定され、後から取り付けられる前記第１庇体または前記第２庇体を所定の取付位置に案内することが望ましい。
【０００８】
このような出隅における庇構造によれば、後から取り付けられる第１庇体または第２庇体は、第１庇体と第２庇体とを接合するための接合部材により、所定の取付位置に案内されるので、後から取り付けられる第１庇体または第２庇体を容易に適切な取付位置に配置することが可能である。
【０００９】
かかる出隅における庇構造であって、前記第１庇体および前記第２庇体は、各々が張り出している前記外壁面に沿って配置されて前記建物の躯体に取り付けられる後枠と、前記後枠と対向し互いに間隔を隔てて配置される前枠と、前記後枠と前記前枠とを両端にて各々繋ぐ側枠とが矩形状に接合されており、前記第１庇体の一方の前記側枠と前記第２庇体の前記前枠とは互いに隣り合うように配置されるとともに、前記第１庇体の一方の前記側枠と前記第２庇体の前記前枠とに渡ってそれらの外面を覆う化粧材が設けられることが望ましい。
【００１０】
このような出隅における庇構造によれば、第１庇体および第２庇体はいずれも躯体に取り付けられているので、各々高い強度を備えている。このとき、第１庇体は単体で取り付けられた状態では、出隅突出部は外壁面から張り出している第１庇体が突出している部位なので、他の部位より強度が低くなるが、第２庇体の端部と接合することにより、出隅突出部が第２庇体にも支持されるので、出隅突出部においても高い強度を備えることが可能である。
【００１１】
また、隣り合うように配置される第１庇体の一方の側枠と第２庇体の前枠とに渡って、それらの外面を覆う化粧材が設けられているので、第１庇体と第２庇体との接合部は化粧材により覆われる。このため、第１庇体と第２庇体とが一体をなすように見えるので、意匠性の高い庇を提供することが可能である。
【００１２】
かかる出隅における庇構造であって、前記第２庇体の張り出し量と、前記出隅突出部の突出量とが等しいことが望ましい。
【００１３】
このような出隅における庇構造によれば、出隅突出部の突出量と第２庇体の張り出し量とが等しいので、第１庇体および第２庇体との張り出し量を任意に設定したとしても、煩雑な加工を施すことなく、出隅突出部の一方の外壁面に沿う部位と第２庇体の一方の端部とを接合するだけで、接合部分にて段差が生じないように第１庇体と第２庇体とを接合することが可能である。
【００１４】
かかる出隅における庇構造であって、前記第１庇体および前記第２庇体は、互いに独立した樋を備えていることが望ましい。
【００１５】
このような出隅における庇構造によれば、第１庇体と第２庇体とが互いに独立した樋を各々備えているので、第１庇体と第２庇体とが接合された構造であっても、第１庇体と第２庇体との間を通るように雨水等を流す必要がない。このため、接合部から雨水等が漏れにくく排水性に優れた庇を出隅に設けることが可能である。
【発明の効果】
【００１６】
本発明によれば、施工性に優れかつ安価な出隅における庇構造を提供することが可能である。
【図面の簡単な説明】
【００１７】
【図１】本実施形態の一例である庇構造の平面図である。
【図２】第１庇体の構成を示す分解斜視図である。
【図３】第１庇体の側断面図である。
【図４】第１庇体と建物との取り合い部分を示す側断面図である。
【図５】第１庇体の前枠側を示す側断面図である。
【図６】第１庇体の後枠と梁との接合部を示す斜視図である。
【図７】第１庇体の側枠および軒天の構成を示す断面図である。
【図８】第１庇体と第２庇体との接合部を示す図である。
【発明を実施するための形態】
【００１８】
以下、本発明の一実施形態に係る出隅における庇構造について図面を参照して説明する。
【００１９】
本実施形態の出隅における庇構造は、例えば、図１に示すように、建物３の出隅に設けられる庇２であって、出隅をなす２つの外壁面３ａ、３ｂのうちの一方となる建物３の正面の外壁面(正面外壁面)３ａから張り出して躯体３ｃに取り付けられている第１庇体としての前庇体１と、出隅をなす２つの外壁面３ａ、３ｂのうちの他方となる側面の外壁面（側面外壁面）３ｂから張り出して躯体３ｃに取り付けられている第２庇体としての側庇体１０１と、前庇体１と側庇体１０１とを接合する接合部材５０と、庇２の外周部に設けられる化粧材９０と、を有している。
【００２０】
以下の説明においては、庇２を、屋外側から建物３の正面外壁面３ａに向かって見たときに、上下となる方向を上下方向、左右となる正面外壁面３ａに沿う方向を左右方向、正面外壁面３ａと直交する側面外壁面３ｂに沿う方向を見込み方向として示す。尚、庇２を構成する各部材は、単体として説明する場合であっても、庇２と同様に上下方向、左右方向、見込み方向等となる方向にて方向を特定して説明する。
【００２１】
本実施形態の庇２を構成する前庇体１および側庇体１０１は、前庇体１が正面外壁面３ａから張り出している張り出し量Ｄ１と側庇体１０１が側面外壁面３ｂから張り出している張り出し量Ｄ２とは相違するが、構成は同じなので、ここでは前庇体１および側庇体１０１の構成を、前庇体１を例に挙げて説明する。また、後の説明および図面において側庇体１０１の各部材および各部位を示す場合には、前庇体１に対応する部位、部材を、前庇体１に付した符号に１００を加えた符号を付して説明する。
【００２２】
前庇体１は、図２〜図５に示すように、建物３の正面外壁面３ａに沿って配置され建物３の躯体３ｃに取り付けられる後枠１０と、後枠１０と見込み方向に間隔を隔ててほぼ平行に配置される前枠２４と、後枠１０および前枠２４の左右の端部が、水平断面がＬ字状をなす枠連結材４により連結される２つの側枠３０と、外壁面３ａと交差する方向に突出し後枠１０と前枠２４との間に後枠１０側の高さが僅かに低くなるように傾斜して掛け渡され後枠１０および前枠２４に固定される梁４０と、梁４０の上に載置され前枠２４および２つの側枠３０にパネル支持部材５およびパネル押さえ部材６を介して保持される屋根パネル３６と、後枠１０、前枠２４および２つの側枠３０に囲まれた領域をそれらの下端側にて覆う軒天６０と、２つの側枠３０にそれぞれ取り付けられた固定金具４８間に掛け渡され、各固定金具４８と梁４０とに固定されて軒天６０の正面外壁面３ａ側の部位が固定される後軒天アタッチメント６５と、前枠２４に固定されて軒天６０の屋外側端部が固定される前軒天アタッチメント７０と、後枠１０に一体に設けられた樋１１の上方を覆うカバー部材８０と、を有している。
【００２３】
後枠１０は、アルミニウム製の押出成型材であり、図４に示すように、上下方向のほぼ中央に樋１１を備え、樋１１の下に梁４０の端部が当接されて固定される梁固定部１２と、梁固定部１２の下に軒天６０の正面外壁面３ａ側の端部と正面外壁面３ａとの間を塞ぐ軒天壁側部１３が設けられている。また、樋１１の屋外側の先端には屋根パネル３６の外壁面３ａ側端部が収容される屋根パネル収容部１４が設けられ、樋１１の外壁面３ａ側端部は屋根パネル３６より上方に延出された延出部１５を有しており、延出部１５の上端にカバー部材が係合される係合部１６とカバー部材８０が固定されるカバー固定部１７とが設けられている。
【００２４】
後枠１０は、図２〜図４に示すように、躯体３ｃに固定されて外壁面３ａから前庇体１の左右方向における中央と左右の端部近傍との３箇所にて上下に２本ずつ突出されたアンカーボルト７により固定される。正面外壁面３ａから突出された各アンカーボルト７には、前庇体１を取り付けた際に、アンカーボルト７周辺の外壁面に負荷が集中しないように外形形状が大きな保護プレート８が螺着されている。ここで、躯体３ｃに前庇体１を取り付けるためのアンカーボルト７を左右方向における３箇所としたが、これに限らず、アンカーボルトは庇体の左右方向における幅に応じて適宜設けられていればよい。後枠１０を貫通するアンカーボルト７には、緩みを防止するために２つのナット９が締め込まれている。
【００２５】
後枠１０は、アンカーボルト７に螺着された保護プレート８に当接される延出部１５および梁固定部１２の正面外壁面３ａと対向する面が同一平面をなす上外壁面対向部１５ａおよび下外壁面対向部１２ａを有し、上外壁面対向部１５ａおよび下外壁面対向部１２ａとの間には、屋外側に向かってほぼ水平に突出されて樋１１の底をなす樋底部１１ａと、樋底部１１ａの先端が上方に立ち上がりその上部に設けられクッション材２９を介して屋根パネル３６が載置されるパネル載置部１８と、パネル載置部１８の外壁面３ａ側に設けられ屋根パネル３６の縁を収容するパネル収容部１４と、パネル載置部１８とパネル収容部１４との間に設けられ下方に窪む溝部１９とを有している。溝部１９は、パネル収容部１４に浸入した水を受けるように設けられている。
【００２６】
後枠１０と正面外壁面３ａとの間には保護プレート８が介在されるので、保護プレート８が当接される下外壁面対向部１２ａと、その下側に設けられ、軒天６０と正面外壁面３ａとの間を塞ぐ軒天壁側部１３の正面外壁面３ａに当接される外壁当接部１３ａとの間には、下外壁面対向部１２ａより正面外壁面３ａ側に突出する段部１３ｂが設けられている。
【００２７】
樋底部１１ａの上側に設けられる延出部１５は、樋底部１１ａの正面外壁面３ａ側の縁と繋がった上外壁面対向部１５ａの上端が屋外側に延出され、屋外側の先端部が上方に立ち上がった立上部１５ｂを有し、立上部１５ｂ上に上外壁面対向部１５ａの上端より高い位置に水平な面を備えてカバー部材８０が載置されるとともに固定されるカバー固定部１７が設けられている。カバー固定部１７上の水平な面は立上部１５ｂよりも正面外壁面３ａ側に延出された係合部１６が設けられており、この係合部１６にカバー部材８０に設けられたフック部８１が係合される。このため、係合部１６と正面外壁面３ａとの間隔は、フック部８１が有する爪部８２の長さより広く形成されている。ここで、カバー固定部１７上の水平な面を上外壁面対向部１５ａの上端より高い位置としたが、屋根パネル３６の上面より上であれば構わない。
【００２８】
樋底部１１ａの下側に設けられる梁固定部１２は、下外壁面対向部１２ａの上下に、矩形状をなす梁４０の外壁面３ａ側の小口の上部４０ａおよび小口の下部４０ｂが当接される小口上部当接部１２ｂおよび小口下部当接部１２ｃと、梁４０の外壁面３ａ側の上面４０ｃおよび下面４０ｄが当接される上面当接部１２ｄおよび下面当接部１２ｅとが、梁４０の傾斜に合わせて設けられている。ここで、梁４０は梁固定部１２に、後述する後ブラケット３８を介して固定されるため、梁固定部１２に取り付けられる後ブラケット３８と梁４０の正面外壁面３ａ側の小口とが干渉しないように、小口上部当接部１２ｂおよび小口下部当接部１２ｃは下外壁面対向部より屋外側に配置されている。
【００２９】
上面当接部１２ｄは樋底部１１ａより僅か下に位置して樋底部１１ａと繋がっており、屋外側に突出している下面当接部１２ｅは、下外壁面対向部１２ａより正面外壁面３ａ側に延出されて正面外壁面３ａに当接し、その先端が下方に延出されて正面外壁面３ａに当接される外壁当接部１３ａをなしている。外壁当接部１３ａの下端は軒天６０の下面より下まで延出されており、下端が屋外側に延出され、屋外側の端部が上方に立ち上げられて、その上端が軒天６０の端部と対向するように設けられている。
【００３０】
前枠２４は、図５に示すように、正面外壁面３ａおよび後枠１０とほぼ平行な鉛直面をなす前板部２５と、前板部２５の上端から屋外側に突出されて正面に設けられる化粧材９０が固定される上化粧材固定部２６と、前板部２５の下端から屋外側に突出される下屋外延出部２７と、下屋外延出部２７と繋がって前板部２５の下端と軒天６０の屋外側の端部との間を塞ぐ軒天前側部２８と、を有している。
前枠２４の上化粧材固定部２６の先端は下方に、下屋外延出部２７の先端は上方に、各々延出されて化粧材９０が当接される化粧材当接部２６ａ、２７ａが設けられており、前板部２５の上部側は梁４０が固定されるため、下部より厚く形成されて補強されている。
【００３１】
梁４０は、押し出し成形部材であり、図６に示すように、断面が矩形状をなし長手方向に連通する中空部を有する梁本体４１と、中空部を形成する梁本体４１の左右の壁部４１ａを延長するように梁本体４１より上方に延出された２つの上方延出部４２と、２つの上方延出部４２の上縁から互いに対抗する側と反対側に各々、梁本体４１の左右の壁部４１ａとほぼ直角に延出されて屋根パネル３６が載置されるパネル載置部４３と、を有している。梁本体４１の長手方向における両端部には上方延出部４２およびパネル載置部４３は設けられておらず、上方延出部４２およびパネル載置部４３より先端側に梁本体４１が突出している。
【００３２】
図２、図４に示すように、梁４０の壁部４１ａの正面外壁面３ａ側の端部には、梁４０の壁部４１ａに沿って隣接し互いに対向する端部対向板部４５と、端部対向板部４５の上縁を連結する上連結部４６と、がコ字状をなし、上連結部４６上に屋根パネル３６を介して載置されるカバー部材８０が固定される鋼製のカバー固定部材４７がビス止めされている。
【００３３】
梁４０は、図２、図３に示すように、２つの側枠３０間をほぼ三等分する位置に配置され後枠１０と前枠２４とにそれぞれ、例えば、鋼製またはアルミニウム製の前ブラケット３７および後ブラケット３８を介して後枠１０に固定されている。すなわち、梁４０は、後ブラケット３８、後枠１０およびアンカーボルト７を介して躯体３ｃに取り付けられている。ここで、梁４０は、躯体３ｃに取り付けられていれば、本実施形態のように、後ブラケット３８、後枠１０およびアンカーボルト７などの部材を介して間接的に取り付けられていても、梁４０が直接躯体３ｃに取り付けられていても構わない。
【００３４】
前ブラケット３７は、梁４０の屋外側の小口に挿入され壁部４１ａに沿って隣接し互いに対向する前対向板部３７ａと、前対向板部３７ａの屋外側の縁を連結する前連結部３７ｂと、がコ字状をなし、前連結部３７ｂが前枠２４に固定され、前対向板部３７ａに各々、梁４０の壁部４１ａがビス止めされている。
【００３５】
後ブラケット３８は、図６に示すように、後枠１０の梁固定部１２に当接されてビス止めされる板状の後枠固定部３８ａと、後枠固定部３８ａの屋外側の面から屋外側に向かって突出され梁４０の壁部４１ａに沿って隣接し互いに対向する後対向板部３８ｂと、を有している。後枠固定部３８ａは、小口上部当接部１２ｂおよび小口下部当接部１２ｃに小口が当接された梁４０と干渉しない厚みをなし、２つの後対向板部３８ｂより左右方向に突出させて形成されており、左右に突出した部位にて後枠１０の梁固定部１２に固定されている。
【００３６】
側枠３０は、図７に示すように、押し出し成形部材であり、断面が縦長の長方形状をなし長手方向に連通する中空部を有する側枠本体３１と、側枠３０の下端部と軒天６０との間に設けられ側枠本体３１の下面に固定される側枠アタッチメント３５を位置決めするために下方に突出された位置決め突部３２と、を有している。側枠３０には、各々側方、すなわち、庇２の外周側から、側枠３０を覆うように化粧材９０が装着されて、側枠３０の上面をなす側枠本体３１の上面３１ａにビス止めされる。このため、側枠本体３１において、屋根パネル３６と反対側に位置する面は、側面に設けられる化粧材９０が当接される化粧材当接面３１ｂをなしている。
【００３７】
側枠３０の上面である側枠本体３１の上面３１ａと、側枠３０の下面をなす位置決め突部３２の下面３２ａとの距離は、前枠２４の上面をなす上化粧材固定部２６の上面２６ｂと、前枠２４の下面をなす下屋外延出部２７の下面２７ｂとの距離と一致している。このため、前枠２４と側枠３０の外周側には、同一の化粧材９０を取り付けることが可能である。
【００３８】
側枠アタッチメント３５は、側枠３０とほぼ同じ長さを有し、左右方向における一方の端部が側枠本体３１の下面にビス止めされる側枠固定部３５ａをなし、他方の端部が、軒天６０の端部を載置する軒天載置部３５ｂをなしている。また、側枠アタッチメント３５の後枠側には、樋１１と連通する竪樋９４が貫通する開口が設けられており、竪樋９４は側枠アタッチメント３５に連結され正面外壁面３ａに沿って設けられた縦桟（不図示）内に配置されている。すなわち、樋１１は、前庇体１と側庇体１０１とにそれぞれ独立して設けられており、前庇体１と側庇体１０１との間を渡って雨水等が流れないように構成されている。
【００３９】
軒天６０は、後枠１０の軒天壁側部１３と前枠２４の軒天前側部２８とに渡るように、見込み方向に長い短冊状をなす複数の軒天材６１が左右方向に並べられて構成されている。各軒天材６１の左右方向における一方の端部６１ａは隣接する軒天材６１と係合することにより支持され、他方の端部６１ｂが後軒天アタッチメント６５および前軒天アタッチメント７０にそれぞれ固定されている。
【００４０】
後軒天アタッチメント６５は、２つの側枠３０に掛け渡されて固定されるとともに、図４に示すように、梁４０の下面にも固定されている。後軒天アタッチメント６５には、後枠１０の軒天壁側部１３と前枠２４の軒天前側部２８とに渡たる各軒天材６１が軒天壁側部１３と軒天前側部２８との間の後枠１０側にて下方からビス止めされる。前軒天アタッチメント７０は、図５に示すように、軒天前側部２８に固定されて、軒天前側部２８上に配置された各軒天材６１の上面と近接して対向する上対向面部７１に、各軒天材６１が下方からビス止めされる。
【００４１】
屋根パネル３６は、図２に示すように、矩形状平板状をなし、梁４０のパネル載置部４３に載置されて支持されるとともに、後枠１０側の端部にてパネル載置部１８に支持されて後枠１０側の縁がパネル収容部１４に保持され、前枠２４および２つの側枠３０に固定されるパネル支持部材５およびパネル押さえ部材６によって上下から挟持されている。屋根パネル３６は取り付けられた状態で、建物３に向かって高さが低くなるように傾斜している。
【００４２】
カバー部材８０は、図４に示すように、後枠１０のカバー固定部１７上に載置される載置板部８３と、載置板部８３と繋がって外壁面３ａ側に設けられ後枠１０の係合部１６に係合されるフック部８１と、屋根パネル３６上に載置されるパネル側板部８４と、載置板部８３とパネル側板部８４との間を傾斜面にて連結する傾斜板部８５と、を有している。カバー部材８０は、正面外壁面３ａに沿う左右方向においてほぼ屋根パネル３６と同じ幅を有し、載置板部８３が後枠１０のカバー固定部１７に所定の間隔を開けて複数箇所(本実施形態では６箇所)にてビス止めされている。
【００４３】
パネル側板部８４は、屋根パネル３６とともに貫通され、防水処理が施されているボルト４９にて、梁４０に設けられたカバー固定部材４７および左右の側枠３０にそれぞれ固定された支持金具８９に固定されている。すなわち、後枠１０のパネル収容部１４に保持された屋根パネル３６の外壁側の部位と屋根パネル３６と後枠１０との間にて上方が開放された樋１１の上方がカバー部材８０に覆われている。カバー部材８０が取り付けられた後には、カバー部材８０のフック部８１と外壁面３ａとの間にシール材７９が充填されている。
【００４４】
カバー部材８０のパネル側板部８４には、傾斜板部８５の下端側の部位に繋がって切り欠かれた切り欠き部８６が設けられている。この切り欠き部８６は、屋根パネル３６上であって、カバー部材８０より屋外側の水が屋根パネル３６の傾斜に沿ってカバー部材８０側に流れてきたときに樋１１に至らせるための流路をなしている。また、傾斜板部８５の左右方向における両端部に樋１１を清掃するための開口８７が設けられており、開口８７にはグロメット８８が装着されている。
【００４５】
本実施形態の庇２は、前庇体１が出隅をなす２つの外壁面３ａ、３ｂのうちの一方の外壁面をなす正面外壁面３ａから張り出し、側庇体１０１が他方の外壁面をなす側面外壁面３ｂから張り出して設けられている。また、前庇体１は、正面外壁面３ａに沿う方向において側面外壁面３ｂよりも突出する出隅突出部１ａを有している。このとき、前庇体１の出隅突出部１ａが側面外壁面３ｂよりも突出している量と、側庇体１０１が側面外壁面３ｂから張り出している量とは等しい。このため、前庇体１と側庇体１０１とが躯体３ｃに取り付けられると、前庇体１の側枠３０の表面をなす化粧材当接面３１ｂと、側庇体１０１の前枠２４の化粧材当接部２６ａ、２７ａとが、同一平面をなすように配置される。また、側面外壁面３ｂより側方（正面外壁面に沿う方向）に突出した出隅突出部１ａの、正面外壁面（一方の外壁面）３ａに沿う部位としての後枠１０と、隣接する側庇体１０１の、側面外壁面（他方の外壁面）３ｂに沿う方向における一方の端部としての側枠１３０とは、接合部材５０を介して接合される。
【００４６】
接合部材５０は、建物３の側面外壁面３ｂに沿う面にて切断した縦断面が、正面外壁面３ａに沿う方向に連続した、単一の断面形状をなす部材である。接合部材５０の正面外壁面３ａに沿う方向における長さは、側面外壁面３ｂよりも突出している出隅突出部１ａの突出量より短く、前庇体１の側枠３０と側庇体１０１の前枠１２４とに、後述する化粧材９０が取り付けられたときに、当該化粧材９０と干渉しない長さをなしている。
【００４７】
接合部材５０は、図８に示すように、前庇体１の、側面外壁面３ｂよりも突出した出隅突出部１ａにおける後枠１０の上外壁面対向部１５ａおよび下外壁面対向部１２ａに当接される後枠当接部５１と、後枠１０の下方に位置する段部１３ｂ上に載置される載置部５２と、後枠１０の段部１３ｂから垂設された外壁当接部１３ａに当接される当接縦壁部５３と、当接縦壁部５３の下縁から側庇体１０１側に延出された下延出片５４と、後枠当接部５１と繋がって後枠当接部５１の上方にて側庇体１０１側に延出されて下延出片５４と対向する上延出片５５と、を有している。
【００４８】
接合部材５０は、下延出片５４と上延出片５５との間隔が、前庇体１と接合される側庇体１０１の側枠１３０の上面１３１ａと側枠１３０の下面をなす位置決め突部１３２の下面１３２ａとの距離より僅かに広く形成されている。接合部材５０は、前庇体１の出隅突出部１ａにおける後枠１０の段部１３ｂに載置部５２が載置されて位置決めされるとともに後枠当接部５１が上外壁面対向部１５ａおよび下外壁面対向部１２ａに渡って当接されてビス止めされる。
【００４９】
化粧材９０は、前庇体１の、側庇体１０１と接合されていない側の側枠３０と、前庇体１の前枠２４と、前庇体１の、側庇体１０１と接合されている側の側枠３０および側庇体１０１の前枠１２４と、側庇体１０１の、前庇体１と接合されていない側の側枠１３０と、にそれぞれ外周側から被せるように取り付けられる。すなわち、前庇体１と側庇体１０１とが接合されて互いに隣り合うように配置された前庇体１の側枠３０と側庇体１０１の前枠１２４とには、前庇体１と側庇体１０１とに渡るように単一の化粧材９０が取り付けられる。
【００５０】
各化粧材９０は、アルミニウム製の押出成形部材に外装仕上げが施されており、取り付けられる箇所の長さに応じて適宜切断されて用いられる。化粧材９０は、矩形状をなす前庇体１および側庇体１０１の前枠２４、１２４と側枠３０、１３０に取り付けられるので、互いに隣接する化粧材９０は直角に繋がるように、互いの端部が各々４５度に切断され、切断された端部にてコーナーキャップ９３を挟持するように当接された状態でビス止めされて連結される。
【００５１】
化粧材９０は、前枠２４、１２４または左右の側枠３０、１３０の表面を覆う本体部９１と、本体部９１の上縁から前枠２４、１２４または側枠３０、１３０側に延出された上縁延出片９１ａと、本体部９１の上部および下端から前枠２４、１２４または側枠３０、１３０と反対側に突出された突出部９２と、本体部９１の下部にて上縁延出片９１ａと上下方向において対向するように延出された下縁延出片９１ｂと、を有している。
【００５２】
上縁延出片９１ａと下縁延出片９１ｂとの間隔は、側枠３０における側枠本体３１の上面３１ａと位置決め突部３２の下面３２ａとの距離および前枠２４における上化粧材固定部２６の上面２６ｂと下屋外延出部２７の下面２７ｂとの距離より僅かに広く形成されている。上下の突出部９２の間に設けられた鉛直の壁部９０ｂには外装仕上げが施されている。
【００５３】
化粧材９０は、前庇体１および側庇体１０１の接合されていない側の側枠３０、１３０と、前庇体１の前枠２４には、上縁延出片９１ａが、側枠本体３１、１３１の上面３１ａ、１３１ａおよび上化粧材固定部２６の上面２６ｂに載置されるように配置され、上方からビス止めされている。また、接合されて互いに隣り合うように配置された前庇体１の側枠３０と側庇体１０１の前枠１２４とには、単一の化粧材９０の上縁延出片９１ａが、側庇体１０１の前枠１２４における上化粧材固定部１２６の上面１２６ｂと前庇体１の側枠３０における側枠本体３１の上面３１ａとに渡るように載置されて上方からビス止めされている。
【００５４】
化粧材９０は、庇２の意匠に応じて、様々な形状にて構成可能であり、また、前枠２４、１２４および左右の側枠３０、１３０に被せてビス止めする構成としたので、化粧材９０を変更することにより異なる意匠の庇２を構成することが可能であり、取り付けおよび交換も容易である。
【００５５】
前庇体１と側庇体１０１とを接合部材５０にて接合して庇２を建物３に設ける場合には、まず、前庇体１がアンカーボルト７を介して躯体３ｃに取り付けられた後の出隅突出部１ａの後枠１０に接合部材５０をビス止めする、あるいは、前庇体１の出隅突出部１ａとなる部位の後枠１０に接合部材５０が取り付けられた前庇体１を、アンカーボルト７を介して躯体３ｃに取り付ける。
【００５６】
躯体３ｃに取り付けられた前庇体１に設けられた接合部材５０は、後に取り付ける側庇体１０１を位置決めするためのガイドとして機能する。より具体的には、前庇体１が取り付けられた後に取り付けられる側庇体１０１は、出隅突出部１ａに取り付けられた接合部材５０の上延出片５５と下延出片５４とにより、側枠１３０が上下方向の移動が規制されつつ側面外壁面３ｂ側に移動されることにより、側庇体１０１の上化粧材固定部１２６の上面１２６ｂが、前庇体１の側枠本体３１の上面３１ａと同じ高さとなるような所定の取付位置に案内される。
【００５７】
側庇体１０１が取付位置に配置された際には、側庇体１０１側枠本体１３１に取り付けられた側枠アタッチメント１３５が、接合部材５０の下延出片５４の先端５４ａに当接されて、側庇体１０１の見込み方向における位置が位置決めされる。また、側庇体１０１を接合部材５０に沿わせて側面外壁面３ｂ側に移動する際に、接合部材５０の下延出片５４の先端５４ａを側庇体１０１の見込み方向のガイドとしてもよい。このように、接合部材５０を備えた前庇体１が建物３に取り付けられた状態で、接合部材５０の上延出片５５と下延出片５４との間に側庇体１０１の側枠１３０を係合させて配置し、側庇体１０１の後枠１０を側面外壁面３ｂに当接させて側庇体１０１を、アンカーボルト７を介して躯体３ｃに取り付ける。
側庇体１０１を建物３に取り付けた後に、接合部材５０と側庇体１０１の側枠１３０とをビスにて固定する。
【００５８】
このように前庇体１に取り付けた接合部材５０を、側庇体１０１の位置決めガイドとして側庇体１０１を建物３に取り付けると、前庇体１の上化粧材固定部２６の上面２６ｂ、側枠本体３１の上面３１ａおよび側庇体１０１の上化粧材固定部１２６の上面１２６ｂ、側枠本体１３１の上面１３１ａが同一平面をなし、前庇体１の下屋外延出部２７の下面２７ｂ、位置決め突部３２の下面３２ａおよび側庇体１０１の下屋外延出部１２７の下面１２７ｂ、位置決め突部１３２の下面１３２ａが同一平面をなすように配置される。
【００５９】
次に、建物３に取り付けられた庇２の外周部に化粧材９０を取り付ける。このとき、前庇体１の、側庇体１０１と接合されていない側の側枠３０と前枠２４、および側庇体１０１の、前庇体１と接合されていない側の側枠１３０と、にそれぞれ別個の化粧材９０を外周側から被せるように、また、前庇体１と側庇体１０１とが接合されて隣接する前庇体１の側枠３０と側庇体１０１の前枠１２４とに単一の化粧材９０を外周側から被せるように、それぞれ配置して、上方向からそれぞれビスにて固定する。
【００６０】
本実施形態の庇構造によれば、出隅をなす２つの外壁面３ａ、３ｂのうちの正面外壁面３ａから張り出す前庇体１が、正面外壁面３ａに沿う方向において側面外壁面３ｂよりも突出した出隅突出部１ａを有しているので、側面外壁面３ｂから張り出す側庇体１０１と出隅突出部１ａとを接合するだけで建物３の出隅に庇２を設けることが可能である。このとき、矩形状をなす前庇体１の一部である出隅突出部１ａが、正面外壁面３ａに沿って突出しており、出隅突出部１ａが有する、正面外壁部３ａに沿うように配置されて躯体３ｃに取り付けられた後枠１０が側面外壁面３ｂよりも突出している。このため、前庇体１の出隅突出部１ａが有し、正面外壁面３ａに沿った後枠１０と、矩形状をなす側庇体１０１の一方の側壁３０とを、煩雑な加工を施すことなく接合部材５０により接合して、出隅に庇２を設けることが可能である。
【００６１】
また、出隅突出部１ａの突出量と側庇体１０１の張り出し量とを等しくすることにより、前庇体１および側庇体１０１との張り出し量を任意に設定したとしても、煩雑な加工を施すことなく、前庇体１と側庇体１０１とが接合された外周が直角をなすように仕上げることが可能である。このため、汎用性および施工性に優れかつ安価な出隅における庇構造を提供することが可能である。
【００６２】
また、前庇体１と側庇体１０１とのうち、後から取り付けられる側庇体１０１は、前庇体１と側庇体１０１とを接合するための接合部材５０により、所定の取付位置に案内されるので、後から取り付けられる側庇体１０１を容易に適切な取付位置に配置することが可能である。このため、本実施形態のように、前庇体１と側庇体１０１とに渡って単一の化粧材９０を取り付ける場合には、前庇体１の取付面となる前庇体１の側枠本体３１の上面３１ａと側庇体１０１の上化粧材固定部１２６の上面１２６ｂとが同じ高さの水平面をなすような所定の取付位置に側庇体１０１を容易に配置することが可能である。
【００６３】
また、前庇体１および側庇体１０１はいずれも躯体３ｃに取り付けられているので、各々高い強度を備えている。このとき、前庇体１は単体で取り付けられた状態では、出隅突出部１ａは正面外壁面３ａから張り出している前庇体１が突出している部位なので、前庇体１の他の部位より強度が低くなるが、側庇体１０１の端部となる側枠１３０と接合することにより、出隅突出部１ａが側庇体１０１にも支持されるので、出隅突出部１ａにおいても高い強度を備えることが可能である。
【００６４】
また、隣り合うように配置される前庇体１の側枠３０と側庇体１０１の前枠１２４とに渡って、それらの外面を覆う化粧材９０が設けられているので、前庇体１と側庇体１０１との接合部は化粧材９０により覆われる。このため、前庇体１と側庇体１０１とが一体をなすように見えるので、意匠性の高い庇２を提供することが可能である。
【００６５】
また、前庇体１と側庇体１０１とが互いに独立した樋１１，１１１を各々備えているので、前庇体１と側庇体１０１とが接合された構造であっても、前庇体１と側庇体１０１との間を通るように雨水等を流す必要がない。このため、前庇体１と側庇体１０１との接合部から雨水等が漏れにくく排水性に優れた庇２を出隅に設けることが可能である。
【００６６】
上記実施形態においては、前庇体１を側面外壁面３ｂより張り出して出隅突出部１ａとした例について説明したが、側庇体１０１を正面外壁面より張り出させて出隅突出部としても良い。このとき、前庇体１と側庇体１０１とのうち、取り付けられている外壁面からの張り出し量が大きい方の庇体にて出隅突出部を形成すると、張り出し量が小さい方の庇体が取り付けられている外壁面からの張り出し量が小さくなるので、出隅突出部の強度をより高くすることが可能である。
【００６７】
上記実施形態においては、前庇体１と側庇体１０１とを接合する際に、接合部材５０を前庇体１側に取り付けて、側庇体１０１を取り付ける際のガイドとする例について説明したが、接合部材は、側庇体１０１側に取り付けて、前庇体１を取り付ける際のガイドとしてもよい。
【００６８】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６９】
１  前庇体、１ａ  出隅突出部、３  建物、３ａ  正面外壁面（一方の外壁面）、
３ｂ  側面外壁面（他方の外壁面）、３ｃ  躯体、１０  後枠、１１  樋、
１１ａ  樋底部、２４  前枠、３０  側枠、５０  接合部材、５４  下延出片、
５５  上延出片、９０  化粧材、９４  竪樋、１０１  側庇体
【図１】
2015143433.tif 000003
【図２】
2015143433.tif 000004
【図３】
2015143433.tif 000005
【図４】
2015143433.tif 000006
【図５】
2015143433.tif 000007
【図６】
2015143433.tif 000008
【図７】
2015143433.tif 000009
【図８】
2015143433.tif 000010